(57)【要約】【目的】電磁調理器によって加熱する際に、湯たんぽ本体を効率良く加熱できると共に、安定姿勢で加熱できる湯たんぽを提供すること。【解決手段】金属製湯たんぽ本体１の下面側を平坦面に形成する。【選択図】　　　　図３
2004016511.tif 000002
【特許請求の範囲】
【請求項１】
金属製湯たんぽ本体の下面側を平坦面に形成してなることを特徴とする湯たんぽ。
【請求項２】
前記湯たんぽ本体の上面側及び下面側に夫々補強リブを形成すると共に、少なくとも下面側の補強リブは湯たんぽ本体の内面側に突出するように形成してなることを特徴とする請求項１に記載の湯たんぽ。
【発明の詳細な説明】
【０００１】
【発明の属する技術分野】
本発明は、湯たんぽに関するものである。
【０００２】
【従来の技術】
湯たんぽは、中に湯を入れ、寝床などに入れて身体を温めるもので、金属製又は陶製のものがある。そして、この湯たんぽの湯は、湯沸かし器で沸かした湯や、ガスこんろ等に掛けたやかん等で沸かした湯を使用するのが普通である。
【０００３】
ところで、近年、炎や赤熱部をもたず、安全で清潔な調理器である電磁調理器が一般に普及していることから、この電磁調理器に金属製の湯たんぽを載せて、中にいれた水を加熱することがしばしば行われている。
【０００４】
この電磁調理器は、トッププレートの下に磁力線コイルがあって、この磁力線コイルによって生じた磁力線が、トッププレート上にある金属製湯たんぽの本体部分を通る時に、湯たんぽ本体部分に無数の渦電流が発生し、この渦電流と湯たんぽ本体部分との金属抵抗により生ずるジュール熱によって湯たんぽ本体部分が加熱され、この湯たんぽ本体部分がヒーターとなって、中の水を加熱することになる。
【０００５】
【発明が解決しようとする課題】
図６は従来より使用されている金属製の湯たんぽＢを示すものであるが、この湯たんぽＢは、湯たんぽ本体１１の上面１２側及び下面１３側がともに凸曲面状に形成されているため、この湯たんぽ本体１内に水を入れて、これを電磁調理器で加熱する場合、湯たんぽ本体下面１３側のトッププレートに当接乃至近接する部分が非常に少なく、加熱に時間がかかって効率が悪い上に、トッププレート上での湯たんぽ本体１の安定が悪く、揺れたりガタついたりする不都合がある。
【０００６】
本発明は、上記の課題に鑑み、電磁調理器によって加熱する際に、湯たんぽ本体を効率良く加熱できると共に、安定姿勢で加熱できるようにした湯たんぽを提供することを目的とする。
【０００７】
【課題を解決するための手段】
請求項１に係る発明は、金属製湯たんぽ本体１の下面側を平坦面に形成してなることを特徴とする。
【０００８】
請求項２は、請求項１に記載の湯たんぽにおいて、前記湯たんぽ本体１の上面側及び下面側に夫々補強リブ４，５を形成すると共に、少なくとも下面側の補強リブ５は湯たんぽ本体１の内面側に突出するように形成してなることを特徴とする。
【０００９】
【発明の実施の形態】
図１は本発明に係る湯たんぽＡの斜視図、図２は正面図、図３は側面図、図４は底面図、図５は拡大横断面図である。これらの図面から分かるように、この湯たんぽＡは、金属製の湯たんぽ本体１を有し、この湯たんぽ本体１は、鋼板のプレス加工により、横断面及び縦断面が何れも略円弧状を成すように（図２及び図３参照）凸曲面状に形成された上板部２と、同じく鋼板のプレス加工によって、横断面及び縦断面が何れも略コ字状に形成されて、下面（底面）側が平坦面となっている下板部３と、からなるもので、上板部２と下板部３とは、接合縁部２ａ，３ｂ同士をはぜ締め加工又はかしめ加工することによって一体的に接合されている。
【００１０】
湯たんぽ本体１の上板部２及び下板部３には、夫々湯たんぽ本体１の内面側に突出して横方向に延びる補強リブ４，５が夫々縦方向に一定ピッチで複数条形成されている。この場合、下板部３側の補強リブ５は、湯たんぽ本体１の内面側に突出するように形成する必要があるが、上板部２側の補強リブ４は、湯たんぽ本体１の外面側に突出するように形成してもよい。これは、下板部３の下面（底面）側を平坦面にするのが本発明の特徴だからである。また、上板部２の一端部には、湯出し入れ口６が設けられていて、これを開閉するキャップ７が装着され、このキャップ７には開閉操作用の把手８が取り付けられている。
【００１１】
湯たんぽ本体１の上板部２及び下板部３を夫々形成する鋼板には表面処理鋼板が使用される。この表面処理鋼板としては、鋼板表面に錫メッキを施したブリキ、また鋼板表面に亜鉛メッキを施したトタン、あるいは鋼板表面にアルミニウムを溶融メッキしたアルミメッキ鋼板などがある。また、上板部２及び下板部３を夫々形成する鋼板以外の金属板としては、電気抵抗の大きいチタン又はその合金などからなる板材が使用される。
【００１２】
いずれにしても、この湯たんぽ本体１は、電磁調理器で加熱できるものでなければならないから、陶器やセラミックなどの非金属のものや、金属であっても、アルミニウムや銅のような電気抵抗の小さい非磁性体材料は使用できない。
【００１３】
図５は、本発明に係る湯たんぽＡの湯たんぽ本体１を電磁調理器ＴのトッププレートＰ上に載置した状態を示す。この図から分かるように、湯たんぽ本体１を構成する下板部３が横断面及び縦断面が何れも略コ字状に形成されて、その下面側が平坦面となっているから、湯たんぽ本体１の下面全体をトッププレートＰの上面に有効に当接させることができる。
【００１４】
しかして、この湯たんぽ本体１に水を入れ、これを電磁調理器ＴのトッププレートＰ上に載せて電源スイッチを入れると、トッププレートＰの下にある磁力線コイルによって生じた磁力線が、トッププレートＰの湯たんぽ本体１の下板部３を通る時に、この下板部３に無数の渦電流が発生し、この渦電流と下板部３との金属抵抗により生ずるジュール熱によって、下板部３が加熱され、この下板部３の熱が上板部２に伝わって湯たんぽ本体１全体加熱され、それによって湯たんぽ本体１内の水が加熱される。
【００１５】
この場合、上記したように湯たんぽ本体１の下面が平坦面となっているから、この湯たんぽ本体１の下面側全体がトッププレートＰの上面に当接乃至近接した状態となり（補強リブ５の凹部はトッププレートＰに対し近接した状態となる）、従って湯たんぽ本体１を極めて効率良く加熱でき、その中の水を短時間で加熱することができる。また、湯たんぽ本体１の下面が平坦面となっていることから、湯たんぽ本体１をトッププレートＰ上に安定良く載せることができ、湯たんぽ本体１が揺れたり、ガタついたりすることがない。
【００１６】
また、この湯たんぽＡにあっては、湯たんぽ本体１の上面側及び下面側に補強リブ４，５が形成されているから、湯たんぽ本体１を形成する上板部２及び下板部３の板厚が薄くても、この補強リブ４，５によって湯たんぽ本体１に十分な剛性が確保され、従って湯たんぽ本体１を軽量にすることができる。
【００１７】
【発明の効果】
請求項１に係る発明の湯たんぽによれば、金属製湯たんぽ本体の下面側を平坦面に形成しているため、水を入れた湯たんぽ本体を電磁調理器で加熱する場合、湯たんぽ本体の下面側全体を電磁調理器のトッププレートの上面に当接乃至近接させることができ、それにより湯たんぽ本体を極めて効率良く加熱できて、その中の水を短時間で効果的に加熱することができる。
【００１８】
請求項２に記載のように、湯たんぽ本体の上面側及び下面側に夫々補強リブを形成することによって、湯たんぽ本体を比較的薄い金属板で形成しても、その補強リブにより湯たんぽ本体に十分な剛性を確保でき、軽量で安価な湯たんぽを提供することができる。
【図面の簡単な説明】
【図１】本発明に係る湯たんぽの斜視図である。
【図２】同湯たんぽの正面図である。
【図３】同湯たんぽの側面図である。
【図４】同湯たんぽの底面図である。
【図５】同湯たんぽの拡大横断面図である。
【図６】従来の湯たんぽを示す正面図である。
【符号の説明】
Ａ　　　　　本発明の湯たんぽ
１　　　　　湯たんぽ本体
２　　　　　湯たんぽ本体の上板部
３　　　　　湯たんぽ本体の下板部
４，５　　　補強リブ
Ｂ　　　　　従来の湯たんぽ
【図１】
2004016511.tif 000003
【図２】
2004016511.tif 000004
【図３】
2004016511.tif 000005
【図４】
2004016511.tif 000006
【図５】
2004016511.tif 000007
【図６】
2004016511.tif 000008